(57)【要約】      （修正有）【課題】ストレスの解消の他、頭痛、肩凝り、不眠症、慢性便秘にも治癒効果があるリラクゼイション寝具を提供する。【解決手段】腰部から足部にかけて凹陥部を設けた固綿と、該固綿の凹陥部に嵌挿設置した熱可塑性エラストマーを溶融押し出して連続線条を形成し、線条にループを形成させ、隣どうしの線条と接触絡合させてランダムなループからなる３次元構造をつくり、剛性弾性の素材からなる振動伝達体１２と、この振動伝達体の上面に載置して上記固綿に嵌挿設置した平板固綿１７と、この平板固綿の上面に接着した発熱体等治療導子１０と、低周波帯の振動発生器と、頭部両側に埋設設置されたスピーカー８と、それらを設置した上記固綿上全面を覆う整形固綿板と、全面を被包する表皮とからなり、上記振動発生器はスパイラルチューブ１９に挿設されて振動伝達体に配置した。【選択図】  図２
2005143522.tif 000002
【特許請求の範囲】
【請求項１】
腰部から足部にかけて凹陥部を設けた固綿と、該固綿の凹陥部に嵌挿設置したゴム弾性を持つ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体と、この振動伝達体の上面に載置して上記固綿の凹陥部に嵌挿設置した平板固綿と、この平板固綿の上面に接着した発熱体等治療導子と、低周波帯の音を振動として再生する振動発生器と、上記固綿の頭部両側に埋設設置されたスピーカーと、それらを設置した上記固綿上全面を覆う整形固綿板と、全面を被包する表皮とからなり、上記振動発生器はスパイラルチューブに挿設されて振動伝達体に配置してなるリラクゼーション誘眠寝具。
【請求項２】
振動発生器はスパイラルチューブに挿設し、振動伝達体に装着したことを特徴とする請求項１記載のリラクゼーション誘眠寝具。
【発明の詳細な説明】
【技術分野】
【０００１】
本発明は寝具用マットレスに内設したスピーカーにより音楽を聴取するとともに、該音楽のうち低周波帯の音を振動として再生する振動発生器を設けることにより、仰向に寝た人に対して抹消神経を刺激し皮膚を通して身体で感じさせることができ、しかも、温熱と陰電位を発生する治療導子を設けることにより温熱治療・電位治療が受けられるリラクゼーション誘眠寝具に関する。
【背景技術】
【０００２】
従来人間の耳では聞き取れない低音域の音を、方向性音楽振動発生素子を加振器として利用して椅子などに組み込み身体に振動として伝えることにより、抹消神経を刺激して悩内のβ波を鎮め、α波やθ波を活性化させてリラックス効果を与える一方、ストレスからくる身体の不調を解消しようとする健康器具があるが、これらはムービングコイル又はムービングマグネットを利用した振動発生器を使用したものであり、この振動発生器を小形にすると振動が微弱となって効果的な振動を伝達することができず、そのため小型化に伴って効率の良い振動伝達構造が必要となる。
【０００３】
また、この振動発生器はコイル発熱をするため温熱治療導子の発熱素子と共に組み込むと、双方の熱が相乗して過熱する虞れがあるため発熱素子と振動発生器は近接設置することができない。したがって、発熱素子は身体の患部に直接影響を及ぼす位置に装置しなければ効果が得られないことから患部下面に装置する一方、振動発生器は身体から外れた位置に装置しなければならず、そのため、振動発生には一層の効率のよい振動伝達構造が必要となるが、そのような構造のものは見当たらず、音楽振動発生素子と発熱素子を組み込んだこの種リラクゼーション寝具は商品化が困難であった。
【発明の開示】
【発明が解決しようとする課題】
【０００４】
本発明は寝具用マットレスにスピーカー、振動発生器、治療導子を組み込むことにより、現代病ともいわれるストレスの解消の他、頭痛、肩凝り、不眠症、慢性便秘にも治癒効果があるリラクゼイション寝具を提供しようとするものである。
【０００５】
即ち、寝具用マットレスは、身体重量が振動発生器に直接掛かるため、小形軽量のムービングコイルまたはムービングマグネットを利用した方向性音楽振動発生素子の加振器では、振動が微弱であるため身体に十分な振動が得られない。そこで、十分な振動を得るために高ワットのボイスコイルを利用すると、大型過重量となりマットレスに組み込むことが困難である。また、音楽振動発生素子を利用した加振器はコイル発熱があることから、温熱治療導子のように発熱するものとの組み合わせは加振器の熱と温熱治療導子の熱が相乗して過熱する虞れがあるため両者の組み合わせは困難である。
【０００６】
本発明は上記課題に関わり、小形軽量のボイスコイルを利用した振動発生器との組み合わせにおいても効率よい振動が身体に得られ、かつ、過熱することのない温熱治療導子との組み合わせを可能としたリラクゼイション誘眠寝具を提供しようとするものである。
【課題を解決するための手段】
【０００７】
腰部から足部にかけて凹陥部を設けた固綿と、該固綿の凹陥部に嵌挿設置したゴム弾性を持つ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体と、この振動伝達体の上面に載置して上記固綿の凹陥部に嵌挿設置した平板固綿と、この平板固綿の上面に接着した発熱体等治療導子と、低周波帯の音を振動として再生する振動発生器と、上記固綿の頭部両側に埋設設置されたスピーカーと、それらを設置した上記固綿上全面を覆う整形固綿板と、全面を被包する表皮とからなり、上記振動発生器はスパイラルチューブに挿設されて振動伝達体の上面に配置しことを特徴とするもので、又振動発生器はスパイラルチューブに挿設し、振動伝達体に装着したことを特徴とするものである。
【発明の効果】
【０００８】
本発明はゴム弾性を持つ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体に振動発生器を配置することにより、身体重量により振動発生器が押しつぶされることがなく、振動伝達体によって小形軽量の音楽振動発生素子であっても効率よく振動が伝達され、特に小形のスピーカーでは再生され難い１００Ｈｚ程度以下の低音域の音を振動として身体に伝え、１００Ｈｚを越える高音域の音は寝具用マットレスの頭部両側に設けたスピーカーで聴くことができる。
【０００９】
したがって、耳で聴くと違和感のある低音域の音は振動として体表にある末梢神経を刺激し、高音域の音は耳で聴くことが出来るから、もっとも自然で人間に満足なリラックス効果を与えることができる。
【００１０】
また、剛性弾性の振動伝達体は振動発生器からの振動が効率良く伝達されることから、治療導子から外れた上下端部に振動発生器を設置しても、その振動はマット全域に万遍なく伝達され、温熱治療時における治療導子の発熱と振動発生器の自己発熱による相乗によって過熱することがなく、治療導子や振動発生器に悪影響を及ぼすこともなく、寝具用マットレスとして構成を可能にするものである。
【００１１】
更に、振動発生器をスパイラルチューブに挿入して装着することにより、振動発生器の振動はスパイラルチューブ全体が線状態で振動して振動伝達体に伝播され、個々に振動発生器を装着するものより、より効率のよい振動伝達が得られるようにしたものである。
【００１２】
ゴム弾性を持つ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体の両端に、音楽振動発生素子を用いた振動発生器を装置したことから、小形軽量で微弱振動の振動発生器であってもその振動は剛性弾性の振動伝達体を介して面状に効率よく伝達することが出来る。この場合、振動発生器をスパイラルチューブに挿入装置すれば複数個の振動発生器が一体になり、軸方向の振動はより効率よく伝達され、押圧された振動伝達体に線条に伝播することから振動強度は向上される。
【００１３】
更に、振動伝達体は整形固綿の凹陥部に嵌捜するだけのフリー状態（例えば接着しない状態。）の構成にしたことにより振動伝達は、より効率よく伝達することが出来る。
【００１４】
また、振動発生器は治療導子の温熱治療時の発熱部から外れた位置に装置されたことから、発熱する振動発生器の熱が治療導子に悪影響を及ぼすようなことがなく、振動発生器にムービングコイルまたはムービングマグネットの方向性音楽振動発生素子を用いても温熱治療導子との組み合わせを可能にして、温熱治療、電位治療もできるリラクゼーション誘眠寝具を提供出来る。
【発明を実施するための最良の形態】
【００１５】
腰部から足部にかけて凹陥部を設けた固綿と、該固綿の凹陥部に嵌挿設置したゴム弾性をもつ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体と、この振動伝達体の上面に載置して上記固綿の凹陥部に嵌挿設置した平板固綿と、この平板固綿の上面に接着した発熱体等治療導子と、低周波帯の音を振動として再生する振動発生器と、上記固綿の頭部両側に埋設設置されたスピーカーと、それらを設置した上記固綿上全面を覆う整形固綿板と、全面を被包する表皮とからなり、上記振動発生器はスパイラルチューブに挿設されて振動伝達体に配置しことを特徴とするもので、又振動発生器はスパイラルチューブに挿設し、振動伝達体に装着したものである。スパイラルチューブの配置位置は振動伝達体への振動伝達により関連する位置であればよい。
【実施例１】
【００１６】
本発明の一実施例をこれら図に基づいて説明する。図において１はリラクゼイション誘眠寝具本体を示し、２は全体を被包する表皮である。３はリラクゼイション誘眠寝具本体１の頭部一側コーナー部に設置された接続器、４は接続器３に本体コード５を介して接続される制御器である。
【００１７】
内部構造を図２に基づいて説明する。６は約８０mm程の厚みを有する整形固綿であり、この固綿６の頭部一側コーナー切り欠き部７に接続器３が取り付けられ、枕元両側に小形のスピーカー、８、８が固綿６に開けた穴に埋め込んで取り付けて有る。
【００１８】
固綿６の腰部から足部に掛けては、底部に３０mm程の厚みを残し、周縁部に約５０mm幅の堰堤部を残した凹陥部９が形成され、この凹陥部９に治療導子１０、振動発生器１１…を配置した振動伝達体１２が嵌挿設置されており、この振動伝達体１２は、ゴム弾性を持つゴム熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材（東洋紡績株式会社製、商標名：ブレスエアー）が使用されている。このように凹嵌部９に治療導子１０、振動発生器１１…を設置した固綿６の上表面全面は約２０mm厚みの整形固綿板１３で覆われ、表皮２で被包されている。治療導子１０は図３に示されるように、カーボン面状発熱体が用いられる。
【００１９】
この面状発熱体は織布の両側縁に沿って電極１４、１４を織り込みカーボン塗料を塗布して、表裏面に塩化ビニール樹脂フイルム等電気絶縁フイルムを張り合わせて形成され、各電極１４、１４にリード線１５、１５を電極端子を介して接続してある。
【００２０】
１６は面状発熱体の表面に蛇行配設された感熱線であり、制御器４により治療導子１０の温熱治療時における発熱温度を制御する。なお、治療導子１０は制御器４のスイッチ切り替えで負電位を印荷することにより電位治療器としての機能も発揮するとともに、音響用増幅器が組み込んであり、スピーカー８、８、振動発生器１１…に音楽信号を送信することができる。
【００２１】
剛性弾性を有する振動伝達体１２は厚み約２０mmの網状マットに構成され、復元力を有するものであり、この振動伝達体１２の上面には短い寸法の３０mm厚の平板固綿１７が載置されている。平板固綿１７の上面には治療導子１０が、その両端非発熱耳部１８、１８を突出して接着されている。このようにして振動伝達体１２より短くした平板固綿１７の両端部に形成された空間に、複数個の振動発生器１１…がスパイラルチューブ１９に略等配分に（等配分でなくともよい。又一個でもよい。）挿入設置されている。
【００２２】
振動発生器１１…は方向性音楽振動発生素子が用いられ、音楽振動発生素子は薄い紙やアルミなど金属のボビンに銅線やアルミ線などを巻き付け接着剤で固め、ボビンにマグネットを内挿し、巻線に音波となる電気音楽信号が流れることにより振動発生する構造であり、振動を効率よく得るために樹脂で形成した筒の中に両端のスプリング２０、２０で保持して挿入構成されている。
【００２３】
これら振動発生器１１…を複数箇振動伝達体１２に取り付ける際は、振動が打ち消し合わないように極性を合わせて同向にしてスパイラルチューブ１９に略等配分に挿入にして取り付けられている。スパイラルチューブ１９は硬質塩化ビニールの針金体を螺旋状に巻いたものに軟質塩化ビニールで被包してチューブに形成したものを使用した。
【００２４】
振動発生器１１はリード線２１、２１で制御器４に接続され、コンパクトディスクプレヤー等外部音響機器２２からの音源の低音域の電気信号を制御器４を介して受けて振動し、剛性弾性の振動伝達体１２にスパイラルチューブ１９を介してより効率よく伝達して、仰向に寝た人の身体表皮の末梢神経を刺激して血流を促進し、自然治癒力を高める。外部音響機器２２からの音源の高音域（１００Ｈｚ程度以上）の音楽音はスピーカー８８で再生され、身体全体で心地よい環境を得ることが出来る。よって悩内のβ波を鎮め、α波やθ波を活性化させてリラックス効果を与える一方、ストレスからくる身体の不調を解消させ心地よい入眠に至ることができる。
【００２５】
以上実施例で説明したように、ゴム弾性を持つ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体の両端部に、音楽振動発生素子を用いた振動発生器を配置したことから、小形軽量で微弱振動の振動発生器であってもその振動は剛性弾性の振動伝達体を介して面状に効率よく伝達することが出来る。この場合、音楽振動発生素子をスパイラルチューブに挿入装置すれば複数個の振動素子が一体になり、軸方向の振動はより効率よく伝達され、押圧された振動伝達体に線条に伝播することから振動強度は向上される。さらに、振動伝達体は整形固綿の凹陥部に嵌捜するだけのフリー状態の構成にしたことにより振動伝達は、より効率よく伝達することが出来る。また、振動発生器は治療導子の上下端、温熱治療時の発熱部から外れた溝孔に装置されたことから、発熱する振動発生器の熱が治療導子に悪影響を及ぼすようなことがなく、振動発生器にムービングコイルまたはムービングマグネットの方向性音楽振動発生素子を用いても温熱治療導子との組み合わせを可能にして、温熱治療、電位治療もできるリラクゼーション誘眠寝具を提供出来る。
【図面の簡単な説明】
【００２６】
【図１】本発明の一実施例を示すリラクゼーション誘眠寝具の斜視図。
【図２】内部構造を説明するための分解斜視図。
【図３】温熱治療導子の平面図。
【図４】振動発生器の拡大図。
【図５】振動発生器の組立て図。
【図６】振動伝達を説明するための説明図。
【符号の説明】
【００２７】
１はリラクゼーション誘眠寝具本体、
４は制御器、
５は整形固綿、
８スピーカー、
９は凹陥部、
１０は治療導子、
１１は振動発生器、
１２は剛性弾性を有する振動伝達体、
１３は整形固綿板、
１７は平板固綿、
１８は非発熱部、
１９はスパイラルチューブ、
２２は外部音響機器
【図１】
2005143522.tif 000003
【図２】
2005143522.tif 000004
【図３】
2005143522.tif 000005
【図４】
2005143522.tif 000006
【図５】
2005143522.tif 000007
【図６】
2005143522.tif 000008
【手続補正書】
【提出日】平成15年11月17日(2003.11.17)
【手続補正１】
【補正対象書類名】特許請求の範囲
【補正対象項目名】請求項１
【補正方法】変更
【補正の内容】
【請求項１】
腰部から足部にかけて凹陥部を設けた固綿と、該固綿の凹陥部に嵌挿設置したゴム弾性を持つ熱可塑性エラストマーを溶融押し出して連続線条を形成し、次いで溶融状態の線条にループを形成させ、隣どうしの線条と接触絡合させてランダムなループからなる３次元の構造をつくり、次いで、後処理により、より強い疑似架橋点を形成させることで素材の伸長回復性を向上させた剛性弾性の素材からなる振動伝達体と、この振動伝達体の上面に載置して上記固綿の凹陥部に嵌挿設置した平板固綿と、この平板固綿の上面に接着した発熱体等治療導子と、平板固綿と振動伝達体の間に設置して低周波帯の音を振動として再生する振動発生器と、上記固綿の頭部両側に埋設設置されたスピーカーと、それらを設置した上記固綿上全面を覆う整形固綿板と、全面を被包する表皮とからなるリラクゼーション誘眠寝具。